(57)【特許請求の範囲】
【請求項１】
複数のチャンネルからデジタルデータ化したコンテンツを電波として配信する際、当該コンテンツを識別するコンテンツ情報をも前記電波として配信する基地局からの前記電波を受信するデジタル信号受信装置であって、
前記電波を受信する通信部と、
前記通信部で受信した前記電波から前記コンテンツ及び前記コンテンツ情報を取得するチューナー部と、
前記チューナー部で受信中の前記コンテンツにおける前記コンテンツ情報を登録するための登録指示及び登録された前記コンテンツ情報を基にして前記コンテンツを検索するための検索指示が入力される入力部と、
前記入力部により登録指示が入力された前記コンテンツ情報と当該コンテンツ情報を配信していた前記チャンネルを識別するためのチャンネル情報とを関連付けて記憶する記憶部と、
前記記憶部に記憶された前記コンテンツ情報を基とする検索指示が前記入力部に入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う制御部とを備えることを特徴とするデジタル信号受信装置。
【請求項２】
請求項１記載のデジタル信号受信装置において、
前記基地局は、前記コンテンツ情報とともに前記チャンネル情報をも電波として配信していて、
前記チューナー部は、前記通信部で受信した前記電波から前記コンテンツ、前記コンテンツ情報及び前記チャンネル情報を取得し、
前記記憶部は、前記入力部により登録された前記コンテンツ情報及び当該コンテンツ情報とともに配信された前記チャンネル情報を関連付けて記憶していることを特徴とするデジタル信号受信装置。
【請求項３】
請求項２記載のデジタル信号受信装置において、
前記制御部は、複数の前記チャンネルから前記コンテンツを現在配信している前記チャンネルを選別した後に、当該選別されたチャンネルからさらに、前記検索の基となるコンテンツ情報に対応する前記チャンネル情報と合致する前記チャンネル情報を有する前記チャンネルを選別することを特徴とするデジタル信号受信装置。
【請求項４】
請求項２又は３記載のデジタル信号受信装置において、
前記制御部の制御に基づいて報知する報知部を備え、
前記制御部は、前記照合が合致した場合には、合致した前記コンテンツを配信している前記チャンネルがある旨を前記報知部に報知させて、前記選別された前記チャンネルで配信中の前記コンテンツの前記コンテンツ情報の中に、前記検索される前記コンテンツ情報と合致するものがない場合には、合致する前記コンテンツを配信している前記チャンネルがない旨を前記報知部に報知させることを特徴とするデジタル信号受信装置。
【請求項５】
請求項２〜４の何れか一項に記載のデジタル信号受信装置において、
前記制御部は、前記選別された前記チャンネルで配信中の前記コンテンツの前記コンテンツ情報の中に、前記検索される前記コンテンツ情報と合致するものがない場合には、前記検索の基となるコンテンツ情報に対応する前記チャンネル情報に近い種類の前記チャンネル情報を選別して、当該選別された前記チャンネルで配信中の前記コンテンツの前記コンテンツ情報と、前記検索される前記コンテンツ情報とを照合することで、前記コンテンツの検索を行うことを特徴とするデジタル信号受信装置。
【請求項６】
複数のチャンネルからデジタルデータ化したコンテンツを電波として配信する際、当該コンテンツを識別するコンテンツ情報をも前記電波として配信する基地局からの前記電波を受信するデジタル信号受信方法であって、
前記電波を受信する受信工程と、
前記受信工程で受信した前記電波から前記コンテンツ及び前記コンテンツ情報を取得する取得工程と、
前記受信工程で受信中の前記コンテンツにおける前記コンテンツ情報を登録するための登録指示及び登録された前記コンテンツ情報を基にして前記コンテンツを検索するための検索指示が入力される入力工程と、
前記入力工程により登録指示が入力された前記コンテンツ情報と当該コンテンツ情報を配信していた前記チャンネルを識別するためのチャンネル情報とを関連付けて記憶する記憶工程と、
前記記憶工程で記憶された前記コンテンツ情報を基とする検索指示が前記入力工程で入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う検索工程とを有することを特徴とするデジタル信号受信方法。
【請求項７】
複数のチャンネルからデジタルデータ化したコンテンツを電波として配信する際、当該コンテンツを識別するコンテンツ情報をも前記電波として配信する基地局からの前記電波を受信するデジタル信号受信装置を制御するためのプログラムであって、
前記電波を受信する受信ステップと、
前記受信ステップで受信した前記電波から前記コンテンツ及び前記コンテンツ情報を取得する取得ステップと、
前記ステップ工程で受信中の前記コンテンツにおける前記コンテンツ情報を登録するための登録指示及び登録された前記コンテンツ情報を基にして前記コンテンツを検索するための検索指示が入力される入力ステップと、
前記入力ステップにより登録指示が入力された前記コンテンツ情報と当該コンテンツ情報を配信していた前記チャンネルを識別するためのチャンネル情報とを関連付けて記憶する記憶ステップと、
前記記憶ステップで記憶された前記コンテンツ情報を基とする検索指示が前記入力ステップで入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う検索ステップとを有することを特徴とするプログラム。
【発明の詳細な説明】
【技術分野】
【０００１】
本発明は、デジタル信号受信装置、デジタル信号受信方法及びプログラムに関する。
【背景技術】
【０００２】
近年、デジタル信号受信装置として、デジタル信号化されたラジオ放送を衛星を介して受信するデジタルラジオ等が開発されている（例えば特許文献１参照）。デジタルラジオ放送は、デジタル信号化された曲データとともに楽曲情報（例えば、曲名、アーティスト、ユニーク番号等）を配信するようになっている。また、デジタルラジオ放送では、ラジオが受信している楽曲の楽曲情報以外にも、他のチャンネルで流れている楽曲の楽曲情報（例えばＬＡ−ＰＤＴ：Ｌｏｏｋ  Ａｒｏｕｎｄ  Ｄｅｓｃｒｉｐｔｉｖｅ  Ｔｅｘｔ）も配信している。デジタルラジオでは、ユーザにより登録された楽曲の楽曲情報と、他チャンネルで配信中の楽曲情報とを照合して、登録された楽曲を検索できるようになっている。
【０００３】
具体的に図４，５を参照にして説明する。図４は登録時におけるフローチャートであり、図５は検索時におけるフローチャートである。
図４に示すように登録時においては、デジタルラジオはユーザから登録指示が入力されたか否かを判断し（ステップＳ１０１）、入力がある場合にはステップＳ１０２に移行して、入力がない場合にはスタートに復帰する。
ステップＳ１０２では、デジタルラジオは登録指示の入力時に受信していた楽曲の楽曲情報を記憶する。
【０００４】
次に検索時においては、図５に示すようにデジタルラジオは登録された楽曲があるか否かを判断し（ステップＳ２０１）、登録されている場合にはステップＳ２０２に移行して、登録されていない場合には終了する。
ステップＳ２０２では、デジタルラジオは検索対象チャンネルとして１チャンネルを指定する。
ステップＳ２０３では、デジタルラジオは検索対象チャンネルに対して当該チャンネルで配信中の楽曲情報を要求し、楽曲情報がある場合にはステップＳ２０４に移行して、楽曲情報がない場合にはステップＳ２０６に移行する。
【０００５】
ステップＳ２０４では、デジタルラジオは、検索対象チャンネルの楽曲情報と、登録楽曲の楽曲情報とを照合し、同じである場合にはステップＳ２０５に移行して、異なる場合にはステップＳ２０６に移行する。
ステップＳ２０５では、デジタルラジオは、登録された楽曲と同じ楽曲が検索対象チャンネルから配信されていることを表示もしくは音声案内でユーザに報知し、終了する。
ステップＳ２０６では、デジタルラジオは、検索対象チャンネルが最大チャンネル（例えば２２３チャンネル）であるか否かを判断し、最大チャンネルである場合には終了し、最大チャンネルに達していない場合にはステップＳ２０７に移行する。
ステップＳ２０７では、デジタルラジオは検索対象チャンネルを次のチャンネルに指定し、ステップＳ２０３に移行する。
このような過程により、各チャンネル内で放送されている楽曲から登録楽曲を検索するようになっている。
【特許文献１】特開２００４−２６０５１９号公報
【発明の開示】
【発明が解決しようとする課題】
【０００６】
しかしながら、上記したように全てのチャンネルで楽曲検索を実行してしまうと、検索時間がどうしても長くなってしまう。例えば全チャンネル数が２２３チャンネルで、１チャンネルあたりの検索時間が１５０ｍｓである場合には、最大２２３×１５０ｍｓ＝３３．４５ｓかかってしまう。さらに複数の楽曲を検索する場合にはその曲数倍検索時間がかかってしまうおそれがある（例えば３曲検索する場合であると、最大３３．４５×３＝１００．３５ｓ）。
このように検索時間が長ければ、ユーザが待機する時間を増加させるだけでなく、楽曲を見つけ出したとしてもその報知時には当該曲の開始部分が十数秒程度放送された後である可能性も高く、ユーザに先頭から曲を提供できない場合もあった。
【０００７】
本発明の課題は、検索時間を短縮化することにより、ユーザビリティを向上させることである。
【課題を解決するための手段】
【０００８】
請求項１記載の発明は、
複数のチャンネルからデジタルデータ化したコンテンツを電波として配信する際、当該コンテンツを識別するコンテンツ情報をも前記電波として配信する基地局からの前記電波を受信するデジタル信号受信装置であって、
前記電波を受信する通信部と、
前記通信部で受信した前記電波から前記コンテンツ及び前記コンテンツ情報を取得するチューナー部と、
前記チューナー部で受信中の前記コンテンツにおける前記コンテンツ情報を登録するための登録指示及び登録された前記コンテンツ情報を基にして前記コンテンツを検索するための検索指示が入力される入力部と、
前記入力部により登録指示が入力された前記コンテンツ情報と当該コンテンツ情報を配信していた前記チャンネルを識別するためのチャンネル情報とを関連付けて記憶する記憶部と、
前記記憶部に記憶された前記コンテンツ情報を基とする検索指示が前記入力部に入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う制御部とを備えることを特徴としている。
【０００９】
請求項２記載の発明は、請求項１記載のデジタル信号受信装置において、
前記基地局は、前記コンテンツ情報とともに前記チャンネル情報をも電波として配信していて、
前記チューナー部は、前記通信部で受信した前記電波から前記コンテンツ、前記コンテンツ情報及び前記チャンネル情報を取得し、
前記記憶部は、前記入力部により登録された前記コンテンツ情報及び当該コンテンツ情報とともに配信された前記チャンネル情報を関連付けて記憶していることを特徴としている。
【００１０】
請求項３記載の発明は、請求項２記載のデジタル信号受信装置において、
前記制御部は、複数の前記チャンネルから前記コンテンツを現在配信している前記チャンネルを選別した後に、当該選別されたチャンネルからさらに、前記検索の基となるコンテンツ情報に対応する前記チャンネル情報と合致する前記チャンネル情報を有する前記チャンネルを選別することを特徴としている。
【００１１】
請求項４記載の発明は、請求項２又は３記載のデジタル信号受信装置において、
前記制御部の制御に基づいて報知する報知部を備え、
前記制御部は、前記照合が合致した場合には、合致した前記コンテンツを配信している前記チャンネルがある旨を前記報知部に報知させて、前記選別された前記チャンネルで配信中の前記コンテンツの前記コンテンツ情報の中に、前記検索される前記コンテンツ情報と合致するものがない場合には、合致する前記コンテンツを配信している前記チャンネルがない旨を前記報知部に報知させることを特徴としている。
【００１２】
請求項５記載の発明は、請求項２〜４の何れか一項に記載のデジタル信号受信装置において、
前記制御部は、前記選別された前記チャンネルで配信中の前記コンテンツの前記コンテンツ情報の中に、前記検索される前記コンテンツ情報と合致するものがない場合には、前記検索されるコンテンツ情報に対応する前記チャンネル情報に近い種類の前記チャンネル情報を選別して、当該選別された前記チャンネルで配信中の前記コンテンツの前記コンテンツ情報と、前記検索の基となる前記コンテンツ情報とを照合することで、前記コンテンツの検索を行うことを特徴としている。
【００１３】
請求項６記載の発明は、
複数のチャンネルからデジタルデータ化したコンテンツを電波として配信する際、当該コンテンツを識別するコンテンツ情報をも前記電波として配信する基地局からの前記電波を受信するデジタル信号受信方法であって、
前記電波を受信する受信工程と、
前記受信工程で受信した前記電波から前記コンテンツ及び前記コンテンツ情報を取得する取得工程と、
前記受信工程で受信中の前記コンテンツにおける前記コンテンツ情報を登録するための登録指示及び登録された前記コンテンツ情報を基にして前記コンテンツを検索するための検索指示が入力される入力工程と、
前記入力工程により登録指示が入力された前記コンテンツ情報と当該コンテンツ情報を配信していた前記チャンネルを識別するためのチャンネル情報とを関連付けて記憶する記憶工程と、
前記記憶工程で記憶された前記コンテンツ情報を基とする検索指示が前記入力工程で入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う検索工程とを有することを特徴としている。
【００１４】
請求項７記載の発明は、
複数のチャンネルからデジタルデータ化したコンテンツを電波として配信する際、当該コンテンツを識別するコンテンツ情報をも前記電波として配信する基地局からの前記電波を受信するデジタル信号受信装置を制御するためのプログラムであって、
前記電波を受信する受信ステップと、
前記受信ステップで受信した前記電波から前記コンテンツ及び前記コンテンツ情報を取得する取得ステップと、
前記ステップ工程で受信中の前記コンテンツにおける前記コンテンツ情報を登録するための登録指示及び登録された前記コンテンツ情報を基にして前記コンテンツを検索するための検索指示が入力される入力ステップと、
前記入力ステップにより登録指示が入力された前記コンテンツ情報と当該コンテンツ情報を配信していた前記チャンネルを識別するためのチャンネル情報とを関連付けて記憶する記憶ステップと、
前記記憶ステップで記憶された前記コンテンツ情報を基とする検索指示が前記入力ステップで入力されると、当該検索の基となるコンテンツ情報に対応する前記チャンネル情報と合致する前記チャンネル情報により識別される前記チャンネルを複数の前記チャンネルから選別してから、当該選別された前記チャンネルで配信中の前記コンテンツの前記コンテンツ情報と、前記検索の基となる前記コンテンツ情報とを照合することで、前記コンテンツの検索を行う検索ステップとを有することを特徴としている。
【発明の効果】
【００１５】
本発明によれば、コンテンツの登録時に、コンテンツ情報とともに、当該コンテンツ情報を配信していたチャンネルのチャンネル情報が関連付けて記憶されているので、登録されたコンテンツの検索時にコンテンツ情報と、チャンネル情報とを使用することが可能となる。そして、登録されたコンテンツを検索する際には、当該コンテンツのチャンネル情報に合致するチャンネルのみが振り分けられてから、当該合致したチャンネルで現在配信されているコンテンツ情報が、登録されたコンテンツ情報に照合されて検索されているので、全チャンネルで配信中のコンテンツ情報と照合する必要もなく、検索時間を短縮することができる。したがって、ユーザビリティを向上させることである。
【００１６】
また、複数のチャンネルから、デジタルデータを現在配信しているチャンネルを選別した後に検索作業が行われているので、使用されていないチャンネルに対して検索時に通信することを省略でき、より検索時間を短縮することが可能となる。
【００１７】
そして、照合が合致した場合には、合致したデジタルデータを配信しているチャンネルがある旨が報知されるとともに、選別されたチャンネルで配信中のデジタルデータのコンテンツ情報の中に、前記検索されるコンテンツ情報と合致するものがない場合には、合致するデジタルデータを配信しているチャンネルがない旨が報知されるので、検索結果をユーザに知らせることができる。
【００１８】
そして、選別されたチャンネルで配信中の前記デジタルデータの前記コンテンツ情報の中に、前記検索される前記コンテンツ情報と合致するものがない場合には、検索されるコンテンツ情報に対応するチャンネル情報に近い種類のチャンネル情報を選別して、この選別されたチャンネル情報を有するチャンネルから照合が行われるので、検索精度が高められることになる。
【発明を実施するための最良の形態】
【００１９】
以下、本発明の実施の形態について図を参照して説明する。図１は、本発明のデジタル信号受信装置としてのデジタルラジオの主制御構成を表すブロック図である。なお、このデジタルラジオ１は、衛星１００から配信された電波を受信するようになっている。この衛星１００は、複数のチャンネルからデジタルデータ化した楽曲を電波として配信する際、当該楽曲を識別する楽曲情報及び各チャンネルを識別するチャンネル情報をも電波として配信している。つまり、本実施形態の衛星１００が本発明の基地局となる。
【００２０】
ここで、楽曲情報には楽曲のタイトル、アーティスト名、ユニーク番号等があり、チャンネル情報には、そのチャンネルが主に配信する楽曲のカテゴリー（例えば、ポップス、ロック、ジャズ、ヒュージョン等）がある。
【００２１】
デジタルラジオ１には、図１に示すように衛星１００からの配信された電波を受信するアンテナからなる通信部２と、通信部２で受信した電波からコンテンツ、楽曲情報及びチャンネル情報を取得するチューナー部３と、コンテンツをアナログ信号に変換して出力する音声出力部４と、外部機器が接続される外部Ｉ／Ｆ５と、各種情報が表示される表示部６と、各種指示が入力される入力部７と、記憶部８と、これらを制御する制御部９とが設けられている。
【００２２】
入力部７に入力される各種指示には、通信部２で受信中の楽曲における楽曲情報を登録するための登録指示や、登録された楽曲情報を基にして該当する楽曲を全チャンネルで配信中の楽曲から検索するための検索指示などがある。
【００２３】
制御部９は、入力部７に入力された各種指示に基づいて、図示しないＲＯＭに記憶されたプログラムを読み出し、展開・実行することで、各部を制御するようになっている。
具体的に説明すると、入力部７に登録指示が入力されると、制御部９は記憶部８を制御して、通信部２で受信中の楽曲におけるコンテンツ情報及び当該コンテンツ情報を配信していたチャンネルのチャンネル情報を関連付けて記憶させる。関連付けを例示すると、例えば、楽曲情報のタイトル、アーティスト名、ユニーク番号と、チャンネル情報のカテゴリーとが関連付けられる。
【００２４】
また、制御部９は、記憶部８に記憶された楽曲情報を基とする検索指示が入力部７に入力されると、当該検索される楽曲情報に対応するチャンネル情報（当該検索される楽曲情報に関連付けられて登録されたチャンネル情報）と合致するチャンネル情報を有するチャンネルを複数のチャンネルから選別してから、当該選別されたチャンネルで配信中の楽曲の楽曲情報と、前記検索される楽曲情報とを照合することで、楽曲の検索を行うようになっている。
【００２５】
そして、制御部９は、照合が合致した場合には、合致した楽曲を配信しているチャンネルがある旨を表示部６に表示させることで報知させる。一方、制御部９は、選別されたチャンネルで配信中の楽曲の楽曲情報の中に、検索される楽曲情報と合致するものがない場合には、合致する楽曲を配信しているチャンネルがない旨を表示部６に表示させることで報知させるようになっている。
【００２６】
次に、本実施形態のデジタルラジオで実行されるプログラム及びデジタル信号受信方法について説明する。
まず、デジタルラジオ１に電源が投入されると、制御部９は、ＲＯＭ中のプログラムを展開・実行する。プログラムの実行後、衛星１００からの電波を通信部２が受信すると（受信工程）、制御部９は、チューナー部３を制御して、通信部２で受信した電波からコンテンツ、コンテンツ情報及びチャンネル情報を取得させる（取得工程）。
【００２７】
その後、制御部９は、図２のフローチャートに示すようにユーザから登録指示が入力部７に入力されたか否かを判断し（ステップＳ１）、入力がある場合にはステップＳ２に移行して、入力がない場合にはスタートに復帰する。
ステップＳ２では、制御部９は登録指示の入力時に受信していた楽曲の楽曲情報及びチャンネル情報を関連付けて記憶部８に記憶させる。
【００２８】
そして、制御部９は、入力部７に検索指示が入力されると（入力工程）、図３のフローチャートのステップＳ１１に移行する。
ステップＳ１１では、制御部９は、登録された楽曲があるか否かを判断し、登録されている場合にはステップＳ１２に移行して、登録されていない場合には終了する。
ステップＳ１２では、制御部９は、登録された楽曲を検索楽曲として、この検索楽曲の楽曲情報とともに記憶されたチャンネル情報に合致するチャンネル情報を有するチャンネルを、衛星から配信される複数のチャンネルから選別する。
【００２９】
ステップＳ１３では、制御部９は、ステップＳ１２で選別されたチャンネルのうち、最初のチャンネル（例えば選別されたチャンネルのうち、最もチャンネル番号の小さいチャンネル）を検索対象に指定する。
ステップＳ１４では、制御部９は、検索対象チャンネルに対して当該チャンネルで配信中の楽曲情報を要求し、楽曲情報がある場合にはステップＳ１５に移行して、楽曲情報がない場合にはステップＳ１７に移行する。
【００３０】
ステップＳ１５では、制御部９は、検索対象チャンネルの楽曲情報と、記憶部８中の検索楽曲の楽曲情報とを照合し、合致する場合にはステップＳ１６に移行して、異なる場合にはステップＳ１７に移行する。ここでの照合には、楽曲情報の例えばユニーク番号が用いられている。
ステップＳ１６では、制御部９は、検索される楽曲と同じ楽曲が検索対象チャンネルから配信されていることを表示部６により表示することでユーザに報知し、終了する。
【００３１】
ステップＳ１７では、制御部９は、検索対象チャンネルがステップＳ１２で選別されたチャンネルのうち最後のチャンネル（例えば選別されたチャンネルのうち、最もチャンネル番号の大きいチャンネル）であるか否かを判断し、最後のチャンネルである場合にはステップＳ１８に移行し、最後のチャンネルに達していない場合にはステップＳ１９に移行する。
【００３２】
ステップＳ１８では、制御部９は、検索される楽曲と同じ楽曲が検索対象チャンネルから配信されていないことを表示部６により表示することでユーザに報知し、終了する。
ステップＳ１９では、制御部９は、検索対象チャンネルを次のチャンネルに指定し、ステップＳ１４に移行する。これらステップＳ１４〜ステップＳ１９までが本発明にかかる検索工程である。
そして、登録楽曲が複数ある場合には、各登録楽曲毎にステップＳ１１〜ステップＳ１９までの工程が繰り返されることで、各登録楽曲を検索できるようになっている。
【００３３】
以上のように、楽曲の登録時に、楽曲情報とともに、当該楽曲情報を配信していたチャンネルのチャンネル情報とが関連付けて記憶されているので、登録された楽曲の検索時に楽曲情報と、チャンネル情報とを使用することが可能となる。そして、登録された楽曲を検索する際には、当該楽曲のチャンネル情報に合致するチャンネルのみが振り分けられてから、当該合致したチャンネルで現在配信されている楽曲情報が、登録された楽曲情報に照合されて検索されているので、全チャンネルで配信中の楽曲情報と照合する必要もなく、検索時間を短縮することができる。したがって、ユーザビリティを向上させることである。
【００３４】
そして、照合が合致した場合には、合致した楽曲を配信しているチャンネルがある旨が報知されるとともに、選別されたチャンネルで配信中の楽曲の楽曲情報の中に、前記検索される楽曲情報と合致するものがない場合には、合致する楽曲を配信しているチャンネルがない旨が報知されるので、検索結果をユーザに知らせることができる。
【００３５】
なお、本発明は上記実施形態に限らず適宜変更可能であるのは勿論である。
例えば、本実施形態では、選別されたチャンネルでのみ、楽曲検索が行われる場合を例示したが、例えば、選別されたチャンネルで配信中の楽曲の楽曲情報の中に、検索される楽曲情報と合致するものがない場合には、検索される楽曲情報に対応するチャンネル情報に近い種類のチャンネル情報を選別して、当該選別されたチャンネルで配信中の楽曲の楽曲情報と、検索される楽曲情報とを照合することで、楽曲の検索を行うようにしてもよい。これにより、検索精度を高めることができる。ここで、「検索される楽曲情報に対応するチャンネル情報に近い種類のチャンネル情報」には、例えばカテゴリーが似かよったチャンネル情報や、予めカテゴリーが分類分けされていた場合における同一分類に含まれるチャンネル情報が挙げられる。分類分けについては、予めメーカー側が行っていても、ユーザによりカスタマイズされてもよい。
【００３６】
また、本実施形態では、コンテンツ、コンテンツ情報及びチャンネル情報が同時に衛星１００から配信される場合を例示したが、コンテンツ及びコンテンツ情報のみが衛星１００から配信される場合であっても、本発明を適用することが可能である。例えば、記憶部８に予め各チャンネルのチャンネル情報が記憶されていると、コンテンツ受信時に当該コンテンツを配信しているチャンネルさえわかれば、デジタルラジオ１側でチャンネル情報を特定することができる。つまり、入力部７によりコンテンツ情報が登録されると、制御部９がそのコンテンツ情報を配信していたチャンネルのチャンネル情報を特定し、当該チャンネル情報とコンテンツ情報とを関連付けて記憶部８に記憶させるのである。
【００３７】
また、複数のチャンネルから楽曲を現在配信しているチャンネルを選別した後に、当該選別されたチャンネルからさらに、検索される楽曲情報に対応するチャンネル情報と合致するチャンネル情報を有するチャンネルを選別するようにしてもよい。こうすることで、使用されていないチャンネルに対して検索時に通信することを省略でき、より検索時間を短縮することが可能となる。
【００３８】
また、本実施形態では、衛星から配信されるデジタルデータ化されたコンテンツとして楽曲を例示したが、動画や、画像、あるいはこれらの組み合わせからなるコンテンツであってもかまわない。
そして、本実施形態では、表示部６が本発明の報知部である場合を例示して説明したが、音声出力部４を報知部とすることも可能である。これにより、音声による検索結果の報知が可能となる。
【図面の簡単な説明】
【００３９】
【図１】本実施形態に係るデジタルラジオの主制御構成を表すブロック図である。
【図２】図１のデジタルラジオで楽曲登録時に実行されるプログラムのフローチャートである。
【図３】図１のデジタルラジオで楽曲検索時に実行されるプログラムのフローチャートである。
【図４】従来のデジタルラジオで楽曲登録時に実行されるプログラムのフローチャートである。
【図５】従来のデジタルラジオで楽曲検索時に実行されるプログラムのフローチャートである。
【符号の説明】
【００４０】
１      デジタルラジオ
２      通信部
３      チューナー部
４      音声出力部
５      外部Ｉ／Ｆ
６      表示部
７      入力部
８      記憶部
９      制御部
【図１】
0004687437.tif 000002
【図２】
0004687437.tif 000003
【図３】
0004687437.tif 000004
【図４】
0004687437.tif 000005
【図５】
0004687437.tif 000006